(57)【要約】      （修正有）【課題】一斗缶の口に簡単に取り付けが可能で壊れにくい、空気管付きの着脱式注ぎ口を提供する。【解決手段】一斗缶の口に着脱可能に差し込まれる差し込み口を備えた、金属製の注ぎ口本体１０と、注ぎ口本体１０に溶接固定された、缶内外の空気を移動可能にする金属製の空気管２０と、からなり、差し込み口は、１〜５°のテーパが設けられ、空気管２０は、差し込み口近傍および缶内側空気孔近傍の２か所に折れ曲がり部を有し、差し込み口近傍の折れ曲がり部の曲率半径が５０〜１００ｍｍ、缶内側空気孔近傍の折れ曲がり部の曲率半径が３０〜７０ｍｍである。【選択図】図１
0003217487.tif 000002
【実用新案登録請求の範囲】
【請求項１】
一斗缶の口に着脱可能に差し込まれる差し込み口を備えた、金属製の注ぎ口本体と、
前記注ぎ口本体に溶接固定された、缶内外の空気を移動可能にする金属製の空気管と、からなり、
前記差し込み口は、１〜５°のテーパが設けられ、
前記空気管は、前記差し込み口近傍および缶内側空気孔近傍の２か所に折れ曲がり部を有し、
前記差し込み口近傍の折れ曲がり部の曲率半径が５０〜１００ｍｍ、前記缶内側空気孔近傍の折れ曲がり部の曲率半径が３０〜７０ｍｍである、着脱式注ぎ口。
【請求項２】
前記空気管は、前記注ぎ口本体にろう付けされている、
ことを特徴とする請求項１に記載の着脱式注ぎ口。
【請求項３】
前記差し込み口のテーパは、２〜３°である、
ことを特徴とする請求項１又は２に記載の着脱式注ぎ口。
【請求項４】
前記差し込み口近傍の曲率半径が６０〜８０ｍｍ、前記缶内側空気孔近傍の曲率半径が４０〜６０ｍｍである、
ことを特徴とする請求項１ないし３のいずれかに記載の着脱式注ぎ口。
【考案の詳細な説明】
【技術分野】
【０００１】
本考案は、着脱式注ぎ口に関し、詳しくは一斗缶の口に着脱可能な注ぎ口に関する。
【背景技術】
【０００２】
一斗缶内部の液体を他の容器に移し替える際に、一斗缶を傾けると、口付近で液体がこぼれてしまう。この問題を解決するために、一斗缶の口に取り付ける注ぎ口が多数市販されている。
【０００３】
しかしながら、空気のための経路を有していない注ぎ口では、一斗缶外部の空気が内部にスムースに移行できず、空気が急に移動することにより液こぼれが生じてしまう。このような中、特許文献１は空気経路を備えた注ぎ口を提案している。
【先行技術文献】
【特許文献】
【０００４】
【特許文献１】実用新案登録第3103166号
【考案の開示】
【考案が解決しようとする課題】
【０００５】
しかしながら、この技術では、注ぎ口構造が複雑で高価になる、落下した際に破損しやすいなどの問題があった。
【０００６】
本考案は、上記課題を解決するためになされたものであって、空気経路を有しつつも、安価で壊れにくい注ぎ口を提供することを目的とする。
【課題を解決するための手段】
【０００７】
本考案にかかる着脱式注ぎ口は、一斗缶の口に着脱可能に差し込まれる差し込み口を備えた、金属製の注ぎ口本体と、前記注ぎ口本体に溶接固定された、缶内外の空気を移動可能にする金属製の空気管と、からなり、前記差し込み口は、１〜５°のテーパが設けられ、前記空気管は、前記差し込み口近傍および缶内側空気孔近傍の２か所に折れ曲がり部を有し、前記差し込み口近傍の折れ曲がり部の曲率半径が５０〜１００ｍｍ、前記缶内側空気孔近傍の折れ曲がり部の曲率半径が３０〜７０ｍｍである。
【０００８】
本考案にかかる着脱式注ぎ口の差し込み口を缶の口に差し込むと、テーパ状の差し込み口により缶の口がわずかに開くように変形する。そして、この変形による応力が、差し込み口を強く締めつけるように作用し、これにより両者が強固に固定される。よって、簡単な装着操作で液漏れを起こすことのない着脱式注ぎ口を実現できる。
【０００９】
なお、缶の口には、１ｍｍ以下程度のサイズ誤差が生じていることがある。本考案にかかる着脱式注ぎ口では、差し込み口がテーパ状となっているため、このような誤差があっても、強固な固定が可能となる。
【００１０】
また、空気管は、差し込み口近傍および缶内側空気孔近傍の２か所に折れ曲がり部を有し、且つ、差し込み口近傍の曲率半径が５０〜１００ｍｍ、缶内側空気孔近傍の曲率半径が３０〜７０ｍｍに設定されている。これにより、空気管を一斗缶内部に簡単に差し込むことができ、且つ、取り外しも容易となる。また、空気管の缶内側空気孔を常に缶内部の空気と接するようにすることもできる。
【００１１】
さらに、空気管と注ぎ口本体との２つの要素のみからなるシンプルな構造であり（他の要素は含まれない）、且つこの２つが溶接により強固に固定されているので、落下などの衝撃が加わった際に破損し難い。
【００１２】
空気管は、注ぎ口本体にろう付けされている構成であることが好ましい。
【００１３】
差し込み口のテーパは、２〜３°であることが好ましく、２．１〜２．５°であることがより好ましい。また、テーパの形状は、線形、指数関数、放物線などであればよいが、中でも線形であることが好ましい。ここで、テーパの角度とは、勾配角を意味し、非線形のテーパの場合には、テーパが付けられていない部分の延長線と、テーパ部分における接線とのなす角θ（図２参照）が、常に上記の角度範囲を満たすものを意味する。
【００１４】
空気管の差し込み口近傍の曲率半径は、６０〜８０ｍｍであることが好ましく、６５〜７５ｍｍであることがより好ましい。空気管の缶内側空気孔近傍の曲率半径は、４０〜６０ｍｍであることが好ましく、４５〜５５ｍｍであることがより好ましい。
【考案の効果】
【００１５】
本考案によれば、着脱が容易で、液漏れを起こすことがなく、しかも衝撃等で破損することがない着脱式注ぎ口を実現できる。
【図面の簡単な説明】
【００１６】
【図１】本考案に係る着脱式注ぎ口の断面図である。
【図２】本考案に係る着脱式注ぎ口の注ぎ口本体を示す断面図である。
【図３】本考案に係る着脱式注ぎ口の空気管を示す断面図である。
【図４】本考案に係る着脱式注ぎ口を一斗缶の口に差し込んだ状態を示す図であり、図４（ａ）は断面図、図４（ｂ）は平面図である。
【考案を実施するための形態】
【００１７】
本考案を、図面を用いて詳細に説明する。図１は、本考案に係る着脱式注ぎ口の断面図であり、図２は、本考案に係る着脱式注ぎ口の注ぎ口本体を示す断面図であり、図３は、本考案に係る着脱式注ぎ口の空気管を示す断面図である。
【００１８】
本考案に係る着脱式注ぎ口は、図１に示すように、金属製の注ぎ口本体１０と、注ぎ口本体１０に溶接固定された、缶内外の空気を移動可能にする金属製の空気管２０と、からなる。
【００１９】
注ぎ口本体１０は、図２に示すように、一斗缶の口に着脱可能に差し込まれる差し込み口１１と、注液口１２と、折れ曲がり部１３と、を備えている。この差し込み口１１は、たとえば線形のテーパが設けられており、テーパが付けられていない部分の延長線と、テーパ部分における接線とのなす角θは、１〜５°である。
【００２０】
また、空気管２０は、図３に示すように、２か所の折れ曲がり部２１・２２と、缶外側空気孔２３と、缶内側空気孔２４と、を備えている。そして、注ぎ口本体の差し込み口に近い側の折れ曲がり部２１の曲率半径が５０〜１００ｍｍ、缶内側空気孔２４に近い側の折れ曲がり部２２の曲率半径が３０〜７０ｍｍとなっている。
【００２１】
注ぎ口本体１０の製造方法は特に限定されず、たとえば市販の金属製の曲がった管（エルボ管）に差し込み口１１のテーパ加工を施したり、金型を用いて成形したりして作製できる。
【００２２】
また、空気管２０の製造方法についても特に限定されず、たとえば市販の金属管を曲げることにより作製できる。
【００２３】
注ぎ口本体１０と空気管２０との固定について説明する。注ぎ口本体１０に、空気管２０を通すための穴をあける。この穴に空気管２０を通す。この後、注ぎ口本体１０と空気管２０とを溶接固定する。このとき、注ぎ口本体１０と空気管２０との隙間に溶融材料を流し込む必要があるが、両者の材料によっては十分な量の溶融材料を流し込み難く、強固な溶接が行えない場合がある。このような場合には、銀ろうなどを用いたろう付けを行うと、両者を強固に溶接することが可能となる。
【００２４】
図４は、本考案に係る着脱式注ぎ口を一斗缶の口に差し込んだ状態を示す図であり、図４（ａ）は断面図、図４（ｂ）は平面図である。着脱式注ぎ口差し込み口１１を一斗缶２００の口に差し込むと、テーパが設けられた差し込み口１１により一斗缶２００の口がわずかに開くように変形する。そして、この変形による応力が、差し込み口１１を強く締めつけるように作用し、これにより両者が強固に固定され、液漏れが防止される。
【００２５】
また、一斗缶２００の口にサイズ誤差があった場合にも、差し込み口１１がテーパ状であるため、強固な固定が可能となる。
【００２６】
また、空気管２０は、差し込み口１１近傍および缶内側空気孔２４近傍との２か所に折れ曲がり部２１・２２を有し、且つ、差し込み口近傍の折れ曲がり部２１の曲率半径が５０〜１００ｍｍ、缶内側空気孔近傍の折れ曲がり部２２の曲率半径が３０〜７０ｍｍに設定されている。これにより、空気管２０を一斗缶２００内部に簡単に差し込むことができ、且つ、取り外しも容易となる。また、一斗缶２００を傾けた際には、缶内側空気孔２４を常に一斗缶２００内部の空気と接するようにすることもできる。
【産業上の利用可能性】
【００２７】
本考案にかかる着脱式注ぎ口は、着脱が容易で、液漏れが起こらず、しかも衝撃などによって壊れにくいため、本考案の産業上の利用可能性は高い。
【符号の説明】
【００２８】
１０：注ぎ口本体
１１：差し込み口
１２：注液口
１３：折れ曲がり部
２０：空気管
２１：折れ曲がり部
２２：折れ曲がり部
２３：缶外側空気孔
２４：缶内側空気孔
１００：着脱式注ぎ口
２００：一斗缶
【図１】
0003217487.tif 000003
【図２】
0003217487.tif 000004
【図３】
0003217487.tif 000005
【図４】
0003217487.tif 000006